(57)【要約】【課題】店舗の従業員の衣服に黒板柄のプリントを施し、その黒板柄のプリントにその日のおすすめメニューを書き込んだり消したりすることができる黒板機能を備えた衣服を提供する。【解決手段】一般消費者や店舗の従業員が着衣する衣服であって、該衣服の生地に特殊なウレタン樹脂をベースとしたプリント定着材を使って衣服の表面に黒板柄をプリントすることを特徴とする。【選択図】図１
0003204452.tif 000002
【実用新案登録請求の範囲】
【請求項１】
一般消費者や店舗の従業員が着衣する衣服であって、該衣服の生地に特殊なウレタン樹脂をベースとしたプリント定着材を使って衣服の表面に黒板柄をプリントすることを特徴とする黒板機能を備えた衣服。
【請求項２】
前記黒板柄は、チョーク又はチョークマーカーを使って文字を書いたり、また黒板消しやウェットタオルを使って拭きとって消したりすることを特徴とする請求項１記載の黒板機能を備えた衣服。
【考案の詳細な説明】
【技術分野】
【０００１】
本考案は、衣服の表面に黒板状のプリントを施し、文字を書き込んだり消したりすることを可能とした黒板機能を備えた衣服に関する。
【背景技術】
【０００２】
各種店舗において、入り口近辺に立て看板を設置し、店舗の案内や宣伝用に用いることは周知の内容である。例えば、飲食店において、その日のおすすめメニューなどを看板ボードに書き込み、店舗の外に掲載してお客に宣伝していた（例えば、引用文献１）。
【先行技術文献】
【特許文献】
【０００３】
【特許文献１】特開２００２−２８８５３５号公報
【考案の概要】
【考案が解決しようとする課題】
【０００４】
しかしながら、特許文献１の看板ボードは、限られたスペースであるので、複数のメニューを記載する場合は、文字が小さくなり見にくくなった。また、文字を大きくすれば１つのメニューしか記載できなかった。更に看板ボードは、店舗の外に立てかけているため、客が店舗の中に入り、実際に商品を注文しようとするときに、その日のおすすめメニューを忘れてしまい、看板ボードとしての役割を果たすことが出来なかった。
【０００５】
本考案は、上記のような問題点に鑑みてなされたもので、店舗の従業員の衣服に黒板柄のプリントを施し、その黒板柄のプリントにその日のおすすめメニューを書き込んだり消したりすることができる黒板機能を備えた衣服を提供することを目的とする。
【課題を解決するための手段】
【０００６】
上記目的を達成するため、請求項１の黒板機能を備えた衣服は、一般消費者や店舗の従業員が着衣する衣服であって、該衣服の生地に特殊なウレタン樹脂をベースとしたプリント定着材を使って衣服の表面に黒板柄をプリントすることを特徴とするものである。
【０００７】
また、請求項２の黒板機能を備えた衣服は、請求項１記載の黒板機能を備えた衣服であって、黒板柄は、チョーク又はチョークマーカーを使って文字を書いたり、また黒板消しやウェットタオルを使って拭きとって消したりすることを特徴とするものである。
【考案の効果】
【０００８】
請求項１記載の考案によれば、一般消費者や店舗の従業員が着衣する衣服であって、該衣服の生地に特殊なウレタン樹脂をベースとしたプリント定着材を使って衣服の表面に黒板柄をプリントするので、看板ボードと違い、内容の異なるメッセージを、場所を選ばずに表示することができ、利便性に優れている。
【０００９】
また、請求項２記載の考案によれば、黒板柄は、チョーク又はチョークマーカーを使って文字を書いたり、また黒板消しやウェットタオルを使って拭きとって消したりすることができるので、何度でも書いたり消したりすることができる。
【図面の簡単な説明】
【００１０】
【図１】本考案の黒板機能を備えた衣服の一実施形態を示す外観図である。
【図２】本考案の黒板機能を備えた衣服の他の実施形態を示す外観図である。
【図３】黒板柄の形状を示し、(ａ)黒板形状、（ｂ）山高帽の形状、（ｃ）猫の形状、（ｄ）子供の形状である。
【考案を実施するための形態】
【実施例】
【００１１】
以下、図面を用いて本考案の実施形態を説明する。図１は本考案の一実施形態を示した外観図であり、図１において、１は一般消費者や店舗の従業員が着衣する衣服の一例として、Ｔシャツを示したものであり、２はＴシャツ１の表面に特殊なウレタン樹脂をベースとしたプリント定着材を使ってプリントした黒板柄である。
【００１２】
また、図２は本考案の他の実施形態を示した外観図であり、図２において、３は一般消費者や店舗の従業員が着衣する衣服の一例として、エプロンを示したものであり、４はエプロン３の表面に特殊なウレタン樹脂をベースとしたプリント定着材を使ってプリントした黒板柄である。
【００１３】
Ｔシャツ１、エプロン３は、衣服の生地に特殊なウレタン樹脂をベースとしたプリント定着材を使って衣服の表面に黒板柄をプリントするので、希望の衣服色、例えば、白、杢、黒、青、ピンクで製作することができる。黒板柄は、図３（ａ）に示すように、長方形の黒板形状５、図３（ｂ）に示すように、山高帽の形状６、図３（ｃ）に示すように、猫の形状７、図３（ｄ）に示すように、子供の形状８等を取り揃え、いろいろな要求に対応できるようにする。
【００１４】
さらに、黒板柄は、特殊なウレタン樹脂をベースとしたプリント定着材を使っているので、一般に使用されているチョーク又はチョークマーカーを使って文字や絵柄を書いたりでき、また黒板消しやウェットタオルを使って拭きとって消すことができる。
【００１５】
以上のように構成された黒板機能を備えた衣服の作用について説明する。一般消費者がＴシャツ１を使用する場合、図３（ａ）に示すような長方形の黒板形状５をした黒板柄２に誕生日のお祝いメッセージとなるような文字をチョーク又はチョークマーカーで書き込み、プレゼントとして準備する。お祝いメッセージはチョーク又はチョークマーカーで書き込んでいるだけであるのでチョークを拭き取れば消すことができ新しいメッセージを何回でも書き込むことができる。
【００１６】
また、店舗の販促用としてＴシャツ１を使用する場合、図３（ａ）に示すような長方形の黒板形状５をした黒板柄２に宣伝となるような文字をチョーク又はチョークマーカーで書き込み、商品棚に陳列したりマネキンに着せたりする。宣伝文字はチョークチョーク又はチョークマーカーで書き込んでいるだけであるのでチョークを拭き取れば消すことができ新しい文字を何回でも書き込むことができる。
【００１７】
Ｔシャツ１は、衣服の生地に特殊なウレタン樹脂をベースとしたプリント定着材を使って衣服の表面に黒板柄をプリントするので、希望の衣服色、例えば、白、杢、黒、青、ピンクのような色で製作することができ、また、黒板柄は、長方形の黒板形状５の他に、山高帽の形状６（図３（ｂ））、猫の形状７（図３（ｃ））、子供の形状８（図３（ｄ））のように用途に応じていろいろな黒板柄を取り揃える。例えば子供用のＴシャツ１の場合、ピンク色のＴシャツに猫の形状７をした黒板柄が好まれる。なお、黒板柄の形状としてはこれに限定するものではない。
【００１８】
また、カフェ等でメニューアピール用としてエプロン３を使用する場合、図３（ａ）に示すような長方形の黒板形状５をした黒板柄２におすすめメニューとなるような文字をチョーク又はチョークマーカーで書き込み、店舗の従業員がエプロンとして着衣する。メニューはチョーク又はチョークマーカーで書き込んでいるだけであるのでチョークを拭き取れば消すことができ新しいメニューを何度でも書き込むことができる。
【００１９】
エプロン３は、衣服の生地に特殊なウレタン樹脂をベースとしたプリント定着材を使って衣服の表面に黒板柄をプリントするので、希望の衣服色、例えば、白、杢、黒、青、ピンクのような色で製作することができ、また、黒板柄は、長方形の黒板形状５の他に、山高帽の形状６（図３（ｂ））、猫の形状７（図３（ｃ））、子供の形状８（図３（ｄ））のように用途に応じていろいろな黒板柄を取り揃える。例えばカフェのエプロン３の場合、白色のエプロンに長方形の黒板形状５をした黒板柄が好まれる。なお、黒板柄の形状としてはこれに限定するものではない。
【００２０】
本考案によれば、一般消費者や店舗の従業員が着衣する衣服であって、該衣服の生地に特殊なウレタン樹脂をベースとしたプリント定着材を使って衣服の表面に黒板柄をプリントするので、それぞれの一般消費者や従業員が内容の異なるメッセージを、場所を選ばずに個々に表示することができ、また、黒板柄のメッセージはチョーク又はチョークマーカーで書いているだけであるので、チョークを拭き取れば消すことができ新しいメニューを何度でも書いたり消したりすることができる。
【００２１】
なお、本考案の黒板機能を備えた衣服の一例として、Ｔシャツやエプロンで説明したが、それに限定するものではなく、トレーナーのようなものでもよい。また、使用形態としてカフェの他に、各種イベント、コンサート、プレゼント用のような用途に幅広く応用することができる。
【符号の説明】
【００２２】
１  衣服（Ｔシャツ）
２  Ｔシャツ１の表面にプリントした黒板柄
３  衣服（エプロン）
４  エプロン３の表面にプリントした黒板柄
５  長方形の黒板形状の黒板柄
６  山高帽の形状の黒板柄
７  猫の形状の黒板柄
８  子供の形状の黒板柄
【図１】
0003204452.tif 000003
【図２】
0003204452.tif 000004
【図３】
0003204452.tif 000005